(57)【要約】      （修正有）【課題】低コストで、かつ、簡易な操作で、透過型原稿の種類を判別して、異なる種類の透過型原稿に記録された画像を読み取ることができる画像読み取り装置を提供する。【解決手段】透過型原稿２、３に向けて、光を発するＬＥＤ光源５と、透過光を受光して、アナログ画像データを生成するＣＣＤラインセンサ６と、透過光をＣＣＤラインセンサに集光させる光学系７と、Ａ／Ｄ変換器と、ディジタル画像データを記憶するＲＡＭと、ＣＣＤラインセンサと透過型原稿とを相対的に移動させ、ＲＡＭに記憶されたディジタル画像データに基づき、透過型原稿を透過した光がＣＣＤラインセンサの受光面にフォーカスされるフォーカス位置を決定し、ＣＣＤラインセンサまたは透過型原稿をフォーカス位置に位置決めするオートフォーカス手段と、フォーカス位置に基づいて、透過型原稿の種類を判別する原稿判別手段を備えている。【選択図】図１
2006191326.tif 000002
【特許請求の範囲】
【請求項１】
透過型原稿に向けて、光を発する光源と、前記光源から発せられ、前記透過型原稿を透過した光を受光して、アナログ画像データを生成する撮像素子と、前記光源から発せられ、前記透過型原稿を透過した光を前記撮像素子に集光させる光学系と、前記撮像素子によって生成されたアナログ画像データをディジタル化して、ディジタル画像データを生成するＡ／Ｄ変換器と、前記Ａ／Ｄ変換器によって生成されたディジタル画像データを記憶する画像データ記憶手段と、前記撮像素子と前記透過型原稿とを相対的に移動させ、前記画像データ記憶手段に記憶されたディジタル画像データに基づき、前記透過型原稿を透過した光が前記撮像素子の受光面にフォーカスされるフォーカス位置を決定し、前記撮像素子または前記透過型原稿を前記フォーカス位置に位置決めするオートフォーカス手段と、前記フォーカス位置に基づいて、前記透過型原稿の種類を判別する原稿判別手段を備えたことを特徴とする画像読み取り装置。
【請求項２】
さらに、基準データメモリ手段を備え、あらかじめ、前記透過型原稿の種類ごとに、前記フォーカス位置を含むフォーカス範囲を特定する基準フォーカスデータが決定されて、前記基準データメモリ手段に記憶され、前記原稿判別手段が、前記オートフォーカス手段によって決定された前記フォーカス位置と、前記基準データメモリ手段に記憶された前記基準フォーカスデータとに基づいて、前記透過型原稿の種類を判別するように構成されたことを特徴とする請求項１に記載の画像読み取り装置。
【請求項３】
さらに、前記光源、前記光学系および前記撮像素子が一体的に形成された光学ブロックを備え、前記オートフォーカス手段が、前記透過型原稿に対して、前記光学ブロックを移動させるパルスモータを備え、前記透過型原稿の種類ごとに、前記オートフォーカス手段が前記パルスモータに与えたパルス数にしたがって、前記基準フォーカスデータが決定され、前記原稿判別手段が、前記透過型原稿を透過した光が前記撮像素子の受光面にフォーカスされるまでに、前記オートフォーカス手段から前記パルスモータに与えられたパルス数と、前記基準フォーカスデータとに基づいて、前記透過型原稿の種類を判別するように構成されたことを特徴とする請求項２に記載の画像読み取り装置。
【請求項４】
さらに、前記透過型原稿の種類ごとに、複数の搬送路が形成され、前記複数の搬送路が、前記撮像素子から、距離が異なる位置に形成されたことを特徴とする請求項１ないし３のいずれか１項に記載の画像読み取り装置。
【発明の詳細な説明】
【技術分野】
【０００１】
本発明は、画像読み取り装置に関するものであり、さらに詳細には、低コストで、かつ、簡易な操作で、透過型原稿の種類を判別して、異なる種類の透過型原稿に記録された画像を読み取ることができる画像読み取り装置に関するものである。
【背景技術】
【０００２】
ストリップフィルムや、マウントフィルムなど、異なる種類の透過型原稿に記録された画像を読み取って、画像を再生する画像読み取り装置が知られている。
このように、異なる種類の透過型原稿に記録された画像を読み取って、画像を再生する画像読み取り装置にあっては、たとえば、ストリップフィルムには、複数コマの画像が記録されているのに対し、マウントフィルムには、単一の画像が記録されており、透過型原稿に種類によって、画像読み取り装置に要求される操作が異なるため、透過型原稿に記録された画像を読み取るのに先立って、透過型原稿の種類を判別することが必要不可欠である。
【０００３】
そこで、従来は、透過型原稿の種類ごとに、異なるアダプタないしホルダーが用いられ、画像読み取り装置は、透過型原稿がセットされたアダプタないしホルダーを検出することによって、透過型原稿の種類を判別するように構成されていた。
【発明の開示】
【発明が解決しようとする課題】
【０００４】
しかしながら、このように、透過型原稿がセットされたアダプタないしホルダーを検出することによって、透過型原稿の種類を判別する場合には、透過型原稿の種類ごとに、異なるアダプタないしホルダーを用意しておくことが必要であり、コストアップの原因になるとともに、操作が面倒であるという問題があった。
【０００５】
したがって、本発明は、低コストで、かつ、簡易な操作で、透過型原稿の種類を判別して、異なる種類の透過型原稿に記録された画像を読み取ることができる画像読み取り装置を提供することを目的とするものである。
【課題を解決するための手段】
【０００６】
本発明のかかる目的は、透過型原稿に向けて、光を発する光源と、前記光源から発せられ、前記透過型原稿を透過した光を受光して、アナログ画像データを生成する撮像素子と、前記光源から発せられ、前記透過型原稿を透過した光を前記撮像素子に集光させる光学系と、前記撮像素子によって生成されたアナログ画像データをディジタル化して、ディジタル画像データを生成するＡ／Ｄ変換器と、前記Ａ／Ｄ変換器によって生成されたディジタル画像データを記憶する画像データ記憶手段と、前記撮像素子と前記透過型原稿とを相対的に移動させ、前記画像データ記憶手段に記憶されたディジタル画像データに基づき、前記透過型原稿を透過した光が前記撮像素子の受光面にフォーカスされるフォーカス位置を決定し、前記撮像素子または前記透過型原稿を前記フォーカス位置に位置決めするオートフォーカス手段と、前記フォーカス位置に基づいて、前記透過型原稿の種類を判別する原稿判別手段を備えたことを特徴とする画像読み取り装置によって達成される。
【０００７】
本発明によれば、画像読み取り装置は、撮像素子と透過型原稿とを相対的に移動させ、画像データ記憶手段に記憶されたディジタル画像データに基づき、透過型原稿を透過した光が撮像素子の受光面にフォーカスされるフォーカス位置を決定し、撮像素子または透過型原稿をフォーカス位置に位置決めするオートフォーカス手段と、フォーカス位置に基づいて、透過型原稿の種類を判別する原稿判別手段を備えているから、透過型原稿の種類ごとに、異なるアダプタないしホルダーを用いることなく、画像読み取り装置が必須の手段として備えているオートフォーカス手段を用いて、画像読み取り装置にセットされた透過型原稿の種類を、自動的に判別することができ、したがって、透過型原稿の種類ごとに、異なるアダプタないしホルダーを用意しておくことも、透過型原稿を画像読み取り装置にセットする際に、透過型原稿をアダプタないしホルダーにセットすることも必要でないから、低コストで、かつ、簡易な操作で、画像読み取り装置にセットされた透過型原稿の種類を検出し、異なる種類の透過型原稿に記録された画像を読み取ることが可能になる。
【０００８】
本発明の好ましい実施態様においては、画像読み取り装置は、さらに、基準データメモリ手段を備え、あらかじめ、前記透過型原稿の種類ごとに、前記フォーカス位置を含むフォーカス範囲を特定する基準フォーカスデータが決定されて、前記基準データメモリ手段に記憶され、前記原稿判別手段が、前記オートフォーカス手段によって決定された前記フォーカス位置と、前記基準データメモリ手段に記憶された前記基準フォーカスデータとに基づいて、前記透過型原稿の種類を判別するように構成されている。
【０００９】
本発明の好ましい実施態様によれば、基準フォーカスデータが、透過型原稿の種類ごとに、フォーカス位置を含むフォーカス範囲として決定されて、基準データメモリ手段に記憶されているから、オートフォーカス手段は、透過型原稿の種類ごとに、基準データメモリ手段に記憶された基準フォーカスデータによって特定されるフォーカス範囲内で、撮像素子と透過型原稿とを相対的に移動させて、フォーカス位置を決定することにより、画像読み取り装置にセットされた透過型原稿の種類を判別して、撮像素子または透過型原稿をフォーカス位置に位置決めすることができ、速やかに、透過型原稿の種類を判別するとともに、撮像素子または透過型原稿をフォーカス位置に位置決めして、画像を読み取ることが可能になる。
【００１０】
本発明のさらに好ましい実施態様においては、画像読み取り装置は、さらに、前記光源、前記光学系および前記撮像素子が一体的に形成された光学ブロックを備え、前記オートフォーカス手段が、前記透過型原稿に対して、前記光学ブロックを移動させるパルスモータを備え、前記透過型原稿の種類ごとに、前記オートフォーカス手段が前記パルスモータに与えたパルス数にしたがって、前記基準フォーカスデータが決定され、前記原稿判別手段が、前記透過型原稿を透過した光が前記撮像素子の受光面にフォーカスされるまでに、前記オートフォーカス手段から前記パルスモータに与えられたパルス数と、前記基準フォーカスデータとに基づいて、前記透過型原稿の種類を判別するように構成されている。
【００１１】
本発明のさらに好ましい実施態様によれば、画像読み取り装置は、さらに、光源、光学系および撮像素子が一体的に形成された光学ブロックを備え、オートフォーカス手段が、透過型原稿に対して、光学ブロックを移動させるパルスモータを備え、透過型原稿の種類ごとに、オートフォーカス手段がパルスモータに与えたパルス数にしたがって、基準フォーカスデータが決定され、原稿判別手段が、透過型原稿を透過した光が撮像素子の受光面にフォーカスされるまでに、オートフォーカス手段からパルスモータに与えられたパルス数と、基準フォーカスデータとに基づいて、透過型原稿の種類を判別するように構成されているから、オートフォーカス手段は、透過型原稿の種類ごとに、基準データメモリ手段に記憶された基準フォーカスデータによって特定されるパルス数にしたがって、パルスモータを駆動し、光学ブロックを移動させて、フォーカス位置を決定することにより、画像読み取り装置にセットされた透過型原稿の種類を判別して、撮像素子または透過型原稿をフォーカス位置に位置決めすることができ、速やかに、透過型原稿の種類を判別するとともに、撮像素子または透過型原稿をフォーカス位置に位置決めして、画像を読み取ることが可能になる。
【００１２】
本発明のさらに好ましい実施態様においては、画像読み取り装置には、さらに、前記透過型原稿の種類ごとに、複数の搬送路が形成され、前記複数の搬送路が、前記撮像素子から、距離が異なる位置に形成されている。
【００１３】
本発明のさらに好ましい実施態様によれば、画像読み取り装置には、さらに、透過型原稿の種類ごとに、複数の搬送路が形成され、複数の搬送路が、撮像素子から、距離が異なる位置に形成されているから、透過型原稿を透過した光が撮像素子の受光面にフォーカスされるフォーカス位置を検出することによって、確実に、透過型原稿の種類を判別することが可能になる。
【００１４】
本発明のさらに好ましい実施態様においては、前記撮像素子が、ＣＣＤラインセンサによって構成されている。
本発明において、透過型原稿は、透過型原稿を透過した光を検出することによって、画像を読み取り可能であれば、とくに限定されるものではなく、ストリップフィルム、マウントフィルム、ＡＰＳ（advanced photo system）フィルムなどの写真フィルムだけでなく、プレパラートなどであってもよい。
【発明の効果】
【００１５】
本発明によれば、低コストで、かつ、簡易な操作で、透過型原稿の種類を判別して、異なる種類の透過型原稿に記録された画像を読み取ることができる画像読み取り装置を提供することが可能になる。
【発明を実施するための最良の形態】
【００１６】
以下、添付図面に基づいて、本発明の好ましい実施態様につき、詳細に説明を加える。
図１は、本発明の好ましい実施態様にかかる画像読み取り装置の略断面図である。
図１に示されるように、本実施態様にかかる画像読み取り装置の本体１は、ストリップフィルム２に記録された画像およびマウントフィルム３に記録された画像を読み取り可能に構成され、赤色光を発するＲ光源（図示せず）と、緑色光を発するＧ光源（図示せず）と、青色光を発するＢ光源（図示せず）とを備えたＬＥＤ光源５と、ＣＣＤラインセンサ６と、ＬＥＤ光源５から発せられ、ストリップフィルム２またはマウントフィルム３を透過した光をＣＣＤラインセンサ６に集光する集光光学系７を備えている。
【００１７】
本実施態様においては、ＬＥＤ光源５、ＣＣＤラインセンサ６および集光光学系７は、一体的に形成され、ＬＥＤ光源５、ＣＣＤラインセンサ６および集光光学系７によって、光学ブロック８が形成されている。
【００１８】
光学ブロック８は、パルスモータ９によって、ストリップフィルム２またはマウントフィルム３の面に垂直な方向に、移動可能に構成されている。
図１に示されるように、画像読み取り装置の本体１には、その内部で、ストリップフィルム２が搬送されるストリップフィルム搬送路１０が形成され、ストリップフィルム搬送路１０には、ストリップフィルム２を搬送する搬送ローラ対１０ａ、１０ｂが設けられている。また、ストリップフィルム搬送路１０の入口部には、ストリップフィルム２の先端部を検出するストリップフィルムセンサ１１が設けられている。ストリップフィルムセンサ１１は、発光素子（図示せず）と、発光素子から発せられ、ストリップフィルム２によって反射された光を受光する受光素子（図示せず）によって構成されている。図１において、参照符号１２は、搬送ローラ対１０ａ、１０ｂを駆動する搬送モータである。
【００１９】
図１に示されるように、画像読み取り装置の本体１には、ストリップフィルム２またはマウントフィルム３の面に垂直な方向において、ストリップフィルム搬送路１０と隔たった位置に、その内部で、マウントフィルム３が搬送されるマウントフィルム搬送路１３が形成されている。
【００２０】
図１に示されるように、画像読み取り装置の本体１は、ＳＣＳＩインターフェイス１５を介して、ホストコンピュータ２０に接続されている。
図１には図示されていないが、周知のように、ホストコンピュータ２０は、全体の動作を制御するＣＰＵ、画像読み取り装置の操作プログラムを格納するハードディスク、画像読み取り装置によって読み取られた画像データを保存するメモリなどを備えている。
【００２１】
図２は、図１に示された画像読み取り装置の制御系、検出系および駆動系を示すブロックダイアグラムである。
図２に示されるように、画像読み取り装置の制御系は、画像読み取り装置全体の動作を制御するコントローラ３０と、画像読み取り装置の操作プログラムを格納するＲＯＭ３１と、画像読み取り装置によって生成された画像データを一時的に保存するＲＡＭ３２と、ＣＣＤラインセンサ６が、ストリップフィルム２またはマウントフィルム３を透過した光を受光して、生成したアナログ画像データをディジタル化し、ディジタル画像データを生成するＡ／Ｄ変換器３３と、Ａ／Ｄ変換器３１によって、生成されたディジタル画像データに各種データ処理を施すデータ処理回路３４と、ＬＥＤ光源５から発せられ、画像読み取り装置にセットされたストリップフィルム２またはマウントフィルム３を透過した光がＣＣＤラインセンサ６の受光面にフォーカスされるときの光学ブロック８の基準位置からの距離として定義されるフォーカス位置を決定し、光学ブロック８をフォーカス位置に位置決めするオートフォーカス手段３５と、画像読み取り装置にセットされた透過型原稿の種類を判別する原稿判別手段３６を備え、画像読み取り装置の制御系は、ストリップフィルム２の先端部を検出するストリップフィルムセンサ１１を備えている。
【００２２】
また、図２に示されるように、画像読み取り装置の駆動系は、ＣＣＤラインセンサ６を駆動するＣＣＤ駆動回路４０と、ＬＥＤ光源５を駆動するＬＥＤ光源駆動回路４１と、パルスモータ９を駆動するパルスモータ駆動回路４２と、搬送モータ１２を駆動する搬送モータ駆動回路４３を備えている。
【００２３】
本実施態様においては、ストリップフィルム２が、画像読み取り装置にセットされたときに、ＬＥＤ光源５から発せられ、ストリップフィルム２を透過した光が、集光光学系７を介して、ＣＣＤラインセンサ６の受光面にフォーカスされるフォーカス位置が、あらかじめ、求められて、フォーカス位置を含むストリップフィルム２のフォーカス範囲が決定され、画像読み取り操作開始時の光学ブロック８の位置、すなわち、光学ブロック８の基準位置から、ストリップフィルム２のフォーカス範囲までの距離が、ストリップフィルム２の基準フォーカスデータとして、ＲＯＭ３１に格納され、さらに、マウントフィルム３が、画像読み取り装置にセットされたときに、ＬＥＤ光源５から発せられ、マウントフィルム３を透過した光が、集光光学系７を介して、ＣＣＤラインセンサ６の受光面にフォーカスされるフォーカス位置が、あらかじめ、求められて、フォーカス位置を含むマウントフィルム３のフォーカス範囲が決定され、光学ブロック８の基準位置から、マウントフィルム３のフォーカス範囲までの距離が、マウントフィルム３の基準フォーカスデータとして、ＲＯＭ３１に格納されている。
【００２４】
ここに、ストリップフィルム２の基準フォーカスデータおよびマウントフィルム３の基準フォーカスデータが、それぞれ、フォーカス位置を含むフォーカス範囲として、決定されているのは、誤差を考慮しているためである。
【００２５】
具体的には、ストリップフィルム２の基準フォーカスデータが、光学ブロック８を基準位置から、ストリップフィルム２のフォーカス範囲まで移動させるために、オートフォーカス手段３５から、パルスモータ９に与えるべきパルス数Ｎｓ１、Ｎｓ２（ここに、Ｎｓ１＜Ｎｓ２である。）の形で、ＲＯＭ３１に格納され、マウントフィルム３の基準フォーカスデータが、光学ブロック８を基準位置から、マウントフィルム３のフォーカス範囲まで移動させるために、オートフォーカス手段３５から、パルスモータ９に与えるべきパルス数Ｎｍ１、Ｎｍ２（ここに、Ｎｍ１＜Ｎｍ２である。）の形で、ＲＯＭ３１に格納されている。
【００２６】
以上のように構成された本実施態様にかかる画像読み取り装置は、以下のようにして、ストリップフィルム２またはマウントフィルム３に記録された画像を読み取って、画像データを生成する。
【００２７】
ストリップフィルム２に記録された画像を読み取る場合には、オペレータによって、ストリップフィルム２が画像読み取り装置にセットされる。
ストリップフィルム２が画像読み取り装置にセットされると、ストリップフィルムセンサ１１によって、ストリップフィルム２の先端部が検出され、ストリップフィルム検出信号は、コントローラ３０に出力される。
【００２８】
ストリップフィルムセンサ１１から、ストリップフィルム検出信号が入力されると、コントローラ３０は、搬送モータ駆動回路４３に駆動信号を出力し、搬送モータ１２を駆動させる。
【００２９】
その結果、ストリップフィルム２は、搬送ローラ対１０ａ、１０ｂによって、ストリップフィルム搬送路１０内を送られ、ストリップフィルム２が所定の画像読み取り位置に達すると、コントローラ３０から、搬送モータ駆動回路４３に駆動停止信号が出力され、搬送モータ１２の駆動が停止される。
【００３０】
さらに、コントローラ３０は、オートフォーカス手段３５にオートフォーカス開始信号を出力し、オートフォーカシング動作を実行させる。
コントローラ３０から、オートフォーカス開始信号を受けると、オートフォーカス手段３５は、ＲＯＭ３１にアクセスして、ＲＯＭ３１に格納された各透過型原稿の基準フォーカスデータを、順次、読み出し、読み出した各透過型原稿の基準フォーカスデータを比較して、画像読み取り装置によって、画像が読み取り可能な透過型原稿の基準フォーカスデータのうちから、最小の基準フォーカスデータ、すなわち、光学ブロック８を、各透過型原稿のフォーカス範囲内に移動させるために、パルスモータ９に与えるべきパルス数が最小になる基準フォーカスデータを選択する。
【００３１】
次いで、オートフォーカス手段３５は、こうして選択された最小の基準フォーカスデータに基づき、駆動パルス信号を生成して、パルスモータ駆動回路４２に出力する。
本実施態様においては、画像読み取り装置は、ストリップフィルム２に記録された画像およびマウントフィルム３に記録された画像を読み取り可能に構成され、また、図１に示されるように、本実施態様にかかる画像読み取り装置においては、マウントフィルム搬送路１３に比して、ストリップフィルム搬送路１０が、ＣＣＤラインセンサ６に近い位置に形成されているので、ストリップフィルム２のフォーカス範囲と、マウントフィルム３のフォーカス範囲との間に重なり合いはなく、ストリップフィルム２のフォーカス範囲の方が、マウントフィルム３のフォーカス範囲よりも、光学ブロック８の基準位置の近くに位置しており、したがって、光学ブロック８を、ストリップフィルム２のフォーカス範囲に移動させるために、パルスモータ９に与えるべき最小のパルス数Ｎｓ１の方が、光学ブロック８を、マウントフィルム３のフォーカス範囲に移動させるために、パルスモータ９に与えるべき最小のパルス数Ｎｍ１よりも小さいから、オートフォーカス手段３５により、ストリップフィルム２の基準フォーカスデータが、最小の基準フォーカスデータとして選択され、光学ブロック８を、ストリップフィルム２のフォーカス範囲に移動させるために必要な最小のパルス数、すなわち、ストリップフィルム２のフォーカス範囲の下限値に対応するパルス数Ｎｓ１が、パルス数の最小値として決定される。
【００３２】
したがって、本実施態様においては、オートフォーカス手段３５により、光学ブロック８を、ストリップフィルム２のフォーカス範囲に移動させるために必要な最小のパルス数Ｎｓ１に基づき、駆動パルス信号が生成され、パルスモータ駆動回路４２に出力される。
【００３３】
パルスモータ駆動回路４２は、オートフォーカス手段３５から駆動パルス信号を受けると、駆動パルス信号によって示されたパルス数の最小値Ｎｓ１に等しい数のパルスをパルスモータ９に印加して、パルスモータ９を駆動し、光学ブロック９を移動させる。
【００３４】
こうして、パルス数の最小値Ｎｓ１に等しい数のパルスが、パルスモータ９に印加されて、光学ブロック８が、ストリップフィルム２のフォーカス範囲内に移動されると、パルスモータ９が停止する。
【００３５】
次いで、オートフォーカス手段３５は、ＬＥＤ光源駆動回路４１に駆動信号を出力して、ＬＥＤ光源５に含まれるＲ光源を発光させるとともに、ＣＣＤ駆動回路４０に駆動信号を出力して、ＣＣＤラインセンサ６を駆動させる。
【００３６】
その結果、ＬＥＤ光源５から、ストリップフィルム２に向けて、赤色光が発せられ、ストリップフィルム２を透過した光がＣＣＤラインセンサ６によって受光される。
所定の時間が経過すると、オートフォーカス手段３５は、ＣＣＤ駆動回路４０に、データ転送信号を出力し、ＣＣＤラインセンサ６が、ストリップフィルム２を透過した光を受光して、生成した１ライン分のアナログ画像データをＡ／Ｄ変換器３３に転送させる。
【００３７】
ＣＣＤラインセンサ６から、Ａ／Ｄ変換器３３に転送されたアナログ画像データは、Ａ／Ｄ変換器３３によって、ディジタル化され、得られた１ライン分のディジタル画像データがＲＡＭ３２に記憶される。
【００３８】
こうして、１ライン分のディジタル画像データが、ＲＡＭ３２に記憶されると、オートフォーカス手段３５は、ＲＡＭ３２に記憶された１ライン分のディジタル画像データを読み出して、データ処理回路３４に出力するとともに、データ処理回路３４にコントラスト計算実行信号を出力する。
【００３９】
データ処理回路３４は、ＲＡＭ３２から、１ライン分のディジタル画像データを受け、オートフォーカス手段３５から、コントラスト計算実行信号を受けると、１ライン分のディジタル画像データの隣接する画素の間での濃度信号レベルの差の絶対値を算出し、隣接する画素間の濃度信号レベルの差の絶対値の総和を算出して、１ライン分のディジタル画像データのコントラストデータを生成し、オートフォーカス手段３５に出力する。
【００４０】
オートフォーカス手段３５は、データ処理回路３４が生成したコントラストデータを受けると、入力されたコントラストデータを、パルスモータ９に与えたパルス数と関連づけて、ＲＡＭ３２に記憶させる。
【００４１】
こうして、１ライン分のディジタル画像データに基づいて、コントラストデータが生成されて、ＲＡＭ３２に記憶されると、オートフォーカス手段３５は、パルスモータ駆動回路４２に、所定のパルス数に対応した駆動パルス信号を出力して、光学ブロック８を、所定の距離だけ、移動させる。
【００４２】
光学ブロック８が、所定の距離だけ、移動された後、所定の時間が経過すると、オートフォーカス手段３５は、ＣＣＤ駆動回路４０に、データ転送信号を出力し、ＣＣＤラインセンサ６が、所定の時間内に、ストリップフィルム２を透過した光を受光して、生成した１ライン分のアナログ画像データをＡ／Ｄ変換器３３に転送させ、１ライン分のディジタル画像データを生成させて、ＲＡＭ３２に記憶させる。
【００４３】
次いで、オートフォーカス手段３５は、上述したのと同様にして、データ処理回路３４に、１ライン分のディジタル画像データのコントラストデータを生成させ、パルスモータ９に与えたパルス数と関連づけて、ＲＡＭ３２に記憶する。
【００４４】
こうして、オートフォーカス手段３５によって、光学ブロック８を、ストリップフィルム２のフォーカス範囲内で、所定の距離づつ、移動させるたびに、１ライン分のディジタル画像データのコントラストデータが生成され、パルスモータ９に与えられたパルス数と関連づけて、ＲＡＭ３２に記憶される。
【００４５】
その結果、パルスモータ９に、ストリップフィルム２のフォーカス範囲の上限値に対応するパルス数Ｎｓ２が印加され、光学ブロック８が、ストリップフィルム２のフォーカス範囲の全体にわたって、移動されて、１ライン分のディジタル画像データのコントラストデータが生成され、パルスモータ９に与えられたパルス数と関連づけて、ＲＡＭ３２に記憶されると、オートフォーカス手段３５は、ＲＯＭ３１から読み出した透過型原稿の基準フォーカスデータのうちから、２番目に小さい基準フォーカスデータを選択し、選択された２番目に小さい基準フォーカスデータ中の最小のパルス数に基づき、駆動パルス信号を生成して、パルスモータ駆動回路４２に出力する。
【００４６】
本実施態様においては、２番目に小さい基準フォーカスデータは、マウントフィルム３の基準フォーカスデータであるので、オートフォーカス手段３５は、光学ブロック８を、マウントフィルム３のフォーカス範囲に移動させるために必要な最小のパルス数Ｎｍ１に基づき、駆動パルス信号を生成して、パルスモータ駆動回路４２に出力する。
【００４７】
その結果、パルスモータ駆動回路４２によって、駆動パルス信号に基づき、パルスモータ９が駆動されるが、この時点で、光学ブロック８は、パルス数Ｎｓ２に対応する距離だけ、基準位置から、パルスモータ９によって移動された位置に位置しているから、具体的には、（Ｎｍ１−Ｎｓ２）に等しい数のパルスが、パルスモータ９に印加される。
【００４８】
こうして、光学ブロック８が、パルスモータ９によって、マウントフィルム３のフォーカス範囲内に移動されると、パルスモータ９が停止する。
次いで、オートフォーカス手段３５は、ＬＥＤ光源駆動回路４１に駆動信号を出力して、ＬＥＤ光源５に含まれるＲ光源を発光させるとともに、ＣＣＤ駆動回路４０に駆動信号を出力して、ＣＣＤラインセンサ６を駆動させる。
【００４９】
その結果、ＬＥＤ光源５から、赤色光が発せられるが、この場合には、画像読み取り装置に、マウントフィルム３はセットされていないから、ＬＥＤ光源５から発せられた光がＣＣＤラインセンサ６によって受光される。
【００５０】
所定の時間が経過すると、オートフォーカス手段３５は、ＣＣＤ駆動回路４０に、データ転送信号を出力し、ＣＣＤラインセンサ６が、ＬＥＤ光源５から発せられた光を受光して、生成した１ライン分のアナログ画像データをＡ／Ｄ変換器３３に転送させる。
【００５１】
ＣＣＤラインセンサ６から、Ａ／Ｄ変換器３３に転送されたアナログ画像データは、Ａ／Ｄ変換器３３によって、ディジタル化され、得られた１ライン分のディジタル画像データがＲＡＭ３２に記憶される。
【００５２】
こうして、１ライン分のディジタル画像データが、ＲＡＭ３２に記憶されると、オートフォーカス手段３５は、ＲＡＭ３２に記憶された１ライン分のディジタル画像データを読み出して、データ処理回路３４に出力するとともに、データ処理回路３４にコントラスト計算実行信号を出力する。
【００５３】
データ処理回路３４は、ＲＡＭ３２から、１ライン分のディジタル画像データを受け、オートフォーカス手段３５から、コントラスト計算実行信号を受けると、１ライン分のディジタル画像データの隣接する画素の間での濃度信号レベルの差の絶対値を算出し、隣接する画素間の濃度信号レベルの差の絶対値の総和を算出して、１ライン分のディジタル画像データのコントラストデータを生成し、オートフォーカス手段３５に出力する。
【００５４】
オートフォーカス手段３５は、データ処理回路３４が生成したコントラストデータを受けると、入力されたコントラストデータを、パルスモータ９に与えたパルス数と関連づけて、ＲＡＭ３２に記憶させる。
【００５５】
こうして、１ライン分のディジタル画像データに基づいて、コントラストデータが生成されて、ＲＡＭ３２に記憶されると、オートフォーカス手段３５は、パルスモータ駆動回路４２に、所定のパルス数に対応した駆動パルス信号を出力して、光学ブロック８を、所定の距離だけ、移動させる。
【００５６】
光学ブロック８が、所定の距離だけ、移動された後、所定の時間が経過すると、オートフォーカス手段３５は、ＣＣＤ駆動回路４０に、データ転送信号を出力し、ＣＣＤラインセンサ６が、所定の時間内に、ＬＥＤ光源５から発せられた光を受光して、生成した１ライン分のアナログ画像データをＡ／Ｄ変換器３３に転送させ、１ライン分のディジタル画像データを生成させて、ＲＡＭ３２に記憶させる。
【００５７】
次いで、オートフォーカス手段３５は、上述したのと同様にして、データ処理回路３４に、１ライン分のディジタル画像データのコントラストデータを生成させ、パルスモータ９に与えたパルス数と関連づけて、ＲＡＭ３２に記憶する。
【００５８】
こうして、オートフォーカス手段３５によって、光学ブロック８を、マウントフィルム３のフォーカス範囲内で、所定の距離づつ、移動させるたびに、１ライン分のディジタル画像データのコントラストデータが生成され、パルスモータ９に与えられたパルス数と関連づけて、ＲＡＭ３２に記憶される。
【００５９】
その結果、パルスモータ９に、マウントフィルム３のフォーカス範囲の上限値に対応するパルス数Ｎｍ２が印加され、光学ブロック８が、マウントフィルム３のフォーカス範囲の全体にわたって、移動されて、１ライン分のディジタル画像データのコントラストデータが生成され、パルスモータ９に与えられたパルス数と関連づけて、ＲＡＭ３２に記憶されると、オートフォーカス手段３５は、ＲＯＭ３１から読み出した透過型原稿の基準フォーカスデータのうちから、３番目に小さい基準フォーカスデータを選択する。
【００６０】
その結果、３番目に小さい基準フォーカスデータが選択されたときは、オートフォーカス手段３５は、選択された３番目に小さい基準フォーカスデータ中の最小のパルス数に基づき、駆動パルス信号を生成して、パルスモータ駆動回路４２に出力し、ストリップフィルム２およびマウントフィルム３のフォーカス範囲で、コントラストデータを生成したのと同様にして、コントラストデータが生成され、生成されたコントラストデータを、パルスモータ９に与えたパルス数と関連づけて、ＲＡＭ３２に記憶させる。
【００６１】
こうして、ＲＯＭ３１に格納された各透過型原稿の基準フォーカスデータが、小さい順に選択され、選択された各透過型原稿の基準フォーカスデータに基づき、対応するフォーカス範囲内でのコントラストデータが生成され、パルスモータ９に与えたパルス数と関連づけて、ＲＡＭ３２に記憶された結果、オートフォーカス手段３５が、ＲＯＭ３１に格納されたすべての各透過型原稿の基準フォーカスデータに基づき、対応するフォーカス範囲内でのコントラストデータが生成され、パルスモータ９に与えたパルス数と関連づけて、ＲＡＭ３２に記憶されたと判定すると、オートフォーカス手段３５は、原稿判別実行信号を、原稿判別手段３６に出力するとともに、パルスモータ９に復帰信号を出力して、光学ブロック８を基準位置に復帰させる。
【００６２】
本実施態様においては、画像読み取り装置は、ストリップフィルム２に記録された画像およびマウントフィルム３に記録された画像を読み取り可能に構成され、ＲＯＭ３１は、ストリップフィルム２の基準フォーカスデータとマウントフィルム３の基準フォーカスデータを格納しているのみであるから、パルスモータ９に、マウントフィルム３のフォーカス範囲の上限値に対応するパルス数Ｎｍ２が印加され、光学ブロック８が、マウントフィルム３のフォーカス範囲の全体にわたって、移動されて、１ライン分のディジタル画像データのコントラストデータが生成され、パルスモータ９に与えられたパルス数と関連づけて、ＲＡＭ３２に記憶された時点で、オートフォーカス手段３５から、原稿判別手段３６に、原稿判別実行信号が出力されるとともに、パルスモータ９に復帰信号が出力され、光学ブロック８が基準位置に復帰される。
【００６３】
原稿判別手段３６は、オートフォーカス手段３５から、原稿判別実行信号を受けると、ＲＡＭ３２にアクセスし、ＲＡＭ３２に記憶されたコントラストデータの最大値を選択して、コントラストデータの最大値と関連付けて、ＲＡＭ３２に記憶されているパルスモータ９に与えられたパルス数を読み出す。
【００６４】
次いで、原稿判別手段３６は、ＲＯＭ３１にアクセスして、ＲＯＭ３１に格納された各透過型原稿の基準フォーカスデータを読み出し、コントラストデータの最大値と関連付けて、ＲＡＭ３２に記憶されているパルスモータ９に与えられたパルス数が、いずれの透過型原稿の基準フォーカスデータに含まれているかを判別し、コントラストデータの最大値と関連付けて、ＲＡＭ３２に記憶されているパルスモータ９に与えられたパルス数が含まれている基準フォーカスデータに対応する透過型原稿を、画像読み取り装置にセットされた透過型原稿の種類と決定し、ＲＡＭ３２に、透過型原稿の種類およびパルスモータ９に与えられたパルス数を書き込むとともに、オートフォーカス手段３５に、原稿判別信号を出力する。
【００６５】
この場合には、ストリップフィルム２が画像読み取り装置にセットされているから、ＲＡＭ３２に記憶されているコントラストデータのうちで、光学ブロック８がストリップフィルム２のフォーカス範囲に位置しているときに生成されたコントラストデータが最大になり、したがって、原稿判別手段３６によって、読み出されるパルスモータ９に与えられたパルス数は、ストリップフィルム２のフォーカス範囲に対応するパルス数であるＮｓ１ないしＮｓ２の範囲に含まれているから、原稿判別手段３６によって、ＲＡＭ３２に、画像読み取り装置にセットされている透過型原稿がストリップフィルム２である旨と、パルスモータ９に与えられたパルス数が書き込まれる。
【００６６】
原稿判別手段３６から、原稿判別信号を受けると、オートフォーカス手段３５はＲＡＭ３２にアクセスして、ＲＡＭ３２に書き込まれたパルスモータ９に与えられたパルス数を読み出し、読み出したパルス数に等しいパルスをパルスモータ９に与えて、光学ブロック８を、ストリップフィルム２のフォーカス位置に移動させるとともに、コントローラ３０にオートフォーカス完了信号を出力する。
【００６７】
コントローラ３０は、オートフォーカス手段３５から、オートフォーカス完了信号を受けると、ＲＡＭ３２にアクセスして、透過型原稿の種類を読み取り、読み取った透過型原稿の種類に応じて、画像読み取り装置にセットされた透過型原稿に記録された画像の読み取りを開始する。
【００６８】
この場合には、ストリップフィルム２が画像読み取り装置にセットされているから、コントローラ３０は、ストリップフィルム２に記録されている複数コマの画像を、周知の方法にしたがって、順次、読み取り、画像データを生成して、ＲＡＭ３２に記憶させ、所定のタイミングで、ＲＡＭ３２に記憶された画像データを、ＳＣＳＩインターフェイス１５を介して、ホストコンピュータ２０に出力する。
【００６９】
これに対して、マウントフィルム３に記録された画像を読み取る場合には、オペレータによって、マウントフィルム３が画像読み取り装置にセットされる。
こうして、マウントフィルム３が、マウントフィルム搬送路１３内の所定の画像読み取り位置にセットされると、コントローラ３０から、オートフォーカス手段３５に、オートフォーカス開始信号が出力され、オートフォーカシング動作が実行される。
【００７０】
コントローラ３０から、オートフォーカス開始信号を受けると、オートフォーカス手段３５は、ＲＯＭ３１にアクセスして、ＲＯＭ３１に格納された各透過型原稿の基準フォーカスデータを、順次、読み出し、読み出した各透過型原稿の基準フォーカスデータを比較して、画像読み取り装置によって、画像が読み取り可能な透過型原稿の基準フォーカスデータのうちから、最小の基準フォーカスデータ、すなわち、光学ブロック８を、各透過型原稿のフォーカス範囲内に移動させるために、パルスモータ９に与えるべきパルス数が最小になる基準フォーカスデータを選択する。
【００７１】
上述のように、本実施態様においては、画像読み取り装置は、ストリップフィルム２に記録された画像およびマウントフィルム３に記録された画像を読み取り可能に構成され、光学ブロック８を、ストリップフィルム２のフォーカス範囲に移動させるために、パルスモータ９に与えるべき最小のパルス数Ｎｓ１の方が、光学ブロック８を、マウントフィルム３のフォーカス範囲に移動させるために、パルスモータ９に与えるべき最小のパルス数Ｎｍ１よりも小さいから、オートフォーカス手段３５によって、ストリップフィルム２の基準フォーカスデータが、最小の基準フォーカスデータとして選択され、光学ブロック８を、ストリップフィルム２のフォーカス範囲に移動させるために必要な最小のパルス数、すなわち、ストリップフィルム２のフォーカス範囲の下限値に対応するパルス数Ｎｓ１が、パルス数の最小値として決定される。
【００７２】
したがって、オートフォーカス手段３５は、オートフォーカス手段３５により、光学ブロック８を、ストリップフィルム２のフォーカス範囲に移動させるために必要な最小のパルス数Ｎｓ１に基づき、駆動パルス信号を生成して、パルスモータ駆動回路４２に出力する。
【００７３】
パルスモータ駆動回路４２は、オートフォーカス手段３５から駆動パルス信号を受けると、駆動パルス信号によって示されたパルス数の最小値Ｎｓ１に等しい数のパルスをパルスモータ９に印加して、パルスモータ９を駆動し、光学ブロック９を移動させる。
【００７４】
こうして、パルス数の最小値Ｎｓ１に等しい数のパルスが、パルスモータ９に印加されて、光学ブロック８が、ストリップフィルム２のフォーカス範囲内に移動されると、パルスモータ９が停止する。
【００７５】
次いで、オートフォーカス手段３５は、ＬＥＤ光源駆動回路４１に駆動信号を出力して、ＬＥＤ光源５に含まれるＲ光源を発光させるとともに、ＣＣＤ駆動回路４０に駆動信号を出力して、ＣＣＤラインセンサ６を駆動させる。
【００７６】
その結果、ＬＥＤ光源５から、赤色光が発せられるが、この場合には、画像読み取り装置に、ストリップフィルム２はセットされていないから、ＬＥＤ光源５から発せられた光は、ＣＣＤラインセンサ６によって受光される。
【００７７】
所定の時間が経過すると、オートフォーカス手段３５は、ＣＣＤ駆動回路４０に、データ転送信号を出力し、ＣＣＤラインセンサ６が、ＬＥＤ光源５から発せられた光を受光して、生成した１ライン分のアナログ画像データをＡ／Ｄ変換器３３に転送させる。
【００７８】
ＣＣＤラインセンサ６から、Ａ／Ｄ変換器３３に転送されたアナログ画像データは、Ａ／Ｄ変換器３３によって、ディジタル化され、得られた１ライン分のディジタル画像データがＲＡＭ３２に記憶される。
【００７９】
こうして、１ライン分のディジタル画像データが、ＲＡＭ３２に記憶されると、オートフォーカス手段３５は、ＲＡＭ３２に記憶された１ライン分のディジタル画像データを読み出して、データ処理回路３４に出力するとともに、データ処理回路３４にコントラスト計算実行信号を出力する。
【００８０】
データ処理回路３４は、ＲＡＭ３２から、１ライン分のディジタル画像データを受け、オートフォーカス手段３５から、コントラスト計算実行信号を受けると、１ライン分のディジタル画像データの隣接する画素の間での濃度信号レベルの差の絶対値を算出し、隣接する画素間の濃度信号レベルの差の絶対値の総和を算出して、１ライン分のディジタル画像データのコントラストデータを生成し、オートフォーカス手段３５に出力する。
【００８１】
オートフォーカス手段３５は、データ処理回路３４が生成したコントラストデータを受けると、入力されたコントラストデータを、パルスモータ９に与えたパルス数と関連づけて、ＲＡＭ３２に記憶させる。
【００８２】
こうして、１ライン分のディジタル画像データに基づいて、コントラストデータが生成されて、ＲＡＭ３２に記憶されると、オートフォーカス手段３５は、パルスモータ駆動回路４２に、所定のパルス数に対応した駆動パルス信号を出力して、光学ブロック８を、所定の距離だけ、移動させる。
【００８３】
光学ブロック８が、所定の距離だけ、移動された後、所定の時間が経過すると、オートフォーカス手段３５は、ＣＣＤ駆動回路４０に、データ転送信号を出力し、ＣＣＤラインセンサ６が、所定の時間内に、ＬＥＤ光源５から発せられた光を受光して、生成した１ライン分のアナログ画像データをＡ／Ｄ変換器３３に転送させ、１ライン分のディジタル画像データを生成させて、ＲＡＭ３２に記憶させる。
【００８４】
次いで、オートフォーカス手段３５は、上述したのと同様にして、データ処理回路３４に、１ライン分のディジタル画像データのコントラストデータを生成させ、パルスモータ９に与えたパルス数と関連づけて、ＲＡＭ３２に記憶する。
【００８５】
こうして、オートフォーカス手段３５によって、光学ブロック８を、ストリップフィルム２のフォーカス範囲内で、所定の距離づつ、移動させるたびに、１ライン分のディジタル画像データのコントラストデータが生成され、パルスモータ９に与えられたパルス数と関連づけて、ＲＡＭ３２に記憶される。
【００８６】
その結果、パルスモータ９に、ストリップフィルム２のフォーカス範囲の上限値に対応するパルス数Ｎｓ２が印加され、光学ブロック８が、ストリップフィルム２のフォーカス範囲の全体にわたって、移動されて、１ライン分のディジタル画像データのコントラストデータが生成され、パルスモータ９に与えられたパルス数と関連づけて、ＲＡＭ３２に記憶されると、オートフォーカス手段３５は、ＲＯＭ３１から読み出した透過型原稿の基準フォーカスデータのうちから、２番目に小さい基準フォーカスデータを選択し、選択された２番目に小さい基準フォーカスデータ中の最小のパルス数に基づき、駆動パルス信号を生成して、パルスモータ駆動回路４２に出力する。
【００８７】
本実施態様においては、２番目に小さい基準フォーカスデータは、マウントフィルム３の基準フォーカスデータであるので、オートフォーカス手段３５は、光学ブロック８を、マウントフィルム３のフォーカス範囲に移動させるために必要な最小のパルス数Ｎｍ１に基づき、駆動パルス信号を生成して、パルスモータ駆動回路４２に出力する。
【００８８】
その結果、パルスモータ駆動回路４２によって、駆動パルス信号に基づき、パルスモータ９が駆動されるが、この時点で、光学ブロック８は、パルス数Ｎｓ２に対応する距離だけ、基準位置から、パルスモータ９によって移動された位置に位置しているから、具体的には、（Ｎｍ１−Ｎｓ２）に等しい数のパルスが、パルスモータ９に印加される。
【００８９】
こうして、光学ブロック８が、パルスモータ９によって、マウントフィルム３のフォーカス範囲内に移動されると、パルスモータ９が停止する。
次いで、オートフォーカス手段３５は、ＬＥＤ光源駆動回路４１に駆動信号を出力して、ＬＥＤ光源５に含まれるＲ光源を発光させるとともに、ＣＣＤ駆動回路４０に駆動信号を出力して、ＣＣＤラインセンサ６を駆動させる。
【００９０】
その結果、ＬＥＤ光源５から、マウントフィルム３に向けて、赤色光が発せられ、マウントフィルム３を透過した光がＣＣＤラインセンサ６によって受光される。
所定の時間が経過すると、オートフォーカス手段３５は、ＣＣＤ駆動回路４０に、データ転送信号を出力し、ＣＣＤラインセンサ６が、マウントフィルム３を透過した光を受光して、生成した１ライン分のアナログ画像データをＡ／Ｄ変換器３３に転送させる。
【００９１】
ＣＣＤラインセンサ６から、Ａ／Ｄ変換器３３に転送されたアナログ画像データは、Ａ／Ｄ変換器３３によって、ディジタル化され、得られた１ライン分のディジタル画像データがＲＡＭ３２に記憶される。
【００９２】
こうして、１ライン分のディジタル画像データが、ＲＡＭ３２に記憶されると、オートフォーカス手段３５は、ＲＡＭ３２に記憶された１ライン分のディジタル画像データを読み出して、データ処理回路３４に出力するとともに、データ処理回路３４にコントラスト計算実行信号を出力する。
【００９３】
データ処理回路３４は、ＲＡＭ３２から、１ライン分のディジタル画像データを受け、オートフォーカス手段３５から、コントラスト計算実行信号を受けると、１ライン分のディジタル画像データの隣接する画素の間での濃度信号レベルの差の絶対値を算出し、隣接する画素間の濃度信号レベルの差の絶対値の総和を算出して、１ライン分のディジタル画像データのコントラストデータを生成し、オートフォーカス手段３５に出力する。
【００９４】
オートフォーカス手段３５は、データ処理回路３４が生成したコントラストデータを受けると、入力されたコントラストデータを、パルスモータ９に与えたパルス数と関連づけて、ＲＡＭ３２に記憶させる。
【００９５】
こうして、１ライン分のディジタル画像データに基づいて、コントラストデータが生成されて、ＲＡＭ３２に記憶されると、オートフォーカス手段３５は、パルスモータ駆動回路４２に、所定のパルス数に対応した駆動パルス信号を出力して、光学ブロック８を、所定の距離だけ、移動させる。
【００９６】
光学ブロック８が、所定の距離だけ、移動された後、所定の時間が経過すると、オートフォーカス手段３５は、ＣＣＤ駆動回路４０に、データ転送信号を出力し、ＣＣＤラインセンサ６が、所定の時間内に、マウントフィルム３を透過した光を受光して、生成した１ライン分のアナログ画像データをＡ／Ｄ変換器３３に転送させ、１ライン分のディジタル画像データを生成させて、ＲＡＭ３２に記憶させる。
【００９７】
次いで、オートフォーカス手段３５は、上述したのと同様にして、データ処理回路３４に、１ライン分のディジタル画像データのコントラストデータを生成させ、パルスモータ９に与えたパルス数と関連づけて、ＲＡＭ３２に記憶する。
【００９８】
こうして、オートフォーカス手段３５によって、光学ブロック８を、マウントフィルム３のフォーカス範囲内で、所定の距離づつ、移動させるたびに、１ライン分のディジタル画像データのコントラストデータが生成され、パルスモータ９に与えられたパルス数と関連づけて、ＲＡＭ３２に記憶される。
【００９９】
その結果、パルスモータ９に、マウントフィルム３のフォーカス範囲の上限値に対応するパルス数Ｎｍ２が印加され、光学ブロック８が、マウントフィルム３のフォーカス範囲の全体にわたって、移動されて、１ライン分のディジタル画像データのコントラストデータが生成され、パルスモータ９に与えられたパルス数と関連づけて、ＲＡＭ３２に記憶されると、オートフォーカス手段３５は、ＲＯＭ３１から読み出した透過型原稿の基準フォーカスデータのうちから、３番目に小さい基準フォーカスデータを選択する。
【０１００】
しかしながら、上述のように、本実施態様にかかる画像読み取り装置は、ストリップフィルム２に記録された画像およびマウントフィルム３に記録された画像を読み取り可能に構成され、ＲＯＭ３１は、ストリップフィルム２の基準フォーカスデータとマウントフィルム３の基準フォーカスデータを格納しているのみであるから、パルスモータ９に、マウントフィルム３のフォーカス範囲の上限値に対応するパルス数Ｎｍ２が印加され、光学ブロック８が、マウントフィルム３のフォーカス範囲の全体にわたって、移動されて、１ライン分のディジタル画像データのコントラストデータが生成され、パルスモータ９に与えられたパルス数と関連づけて、ＲＡＭ３２に記憶された時点で、オートフォーカス手段３５から、原稿判別手段３６に、原稿判別実行信号が出力されるとともに、パルスモータ９に復帰信号が出力され、光学ブロック８が基準位置に復帰される。
【０１０１】
原稿判別手段３６は、オートフォーカス手段３５から、原稿判別実行信号を受けると、ＲＡＭ３２にアクセスし、ＲＡＭ３２に記憶されたコントラストデータの最大値を選択して、コントラストデータの最大値と関連付けて、ＲＡＭ３２に記憶されているパルスモータ９に与えられたパルス数を読み出す。
【０１０２】
次いで、原稿判別手段３６は、ＲＯＭ３１にアクセスして、ＲＯＭ３１に格納された各透過型原稿の基準フォーカスデータを読み出し、コントラストデータの最大値と関連付けて、ＲＡＭ３２に記憶されているパルスモータ９に与えられたパルス数が、いずれの透過型原稿の基準フォーカスデータに含まれているかを判別し、コントラストデータの最大値と関連付けて、ＲＡＭ３２に記憶されているパルスモータ９に与えられたパルス数が含まれている基準フォーカスデータに対応する透過型原稿を、画像読み取り装置にセットされた透過型原稿の種類と決定し、ＲＡＭ３２に、透過型原稿の種類およびパルスモータ９に与えられたパルス数を書き込むとともに、オートフォーカス手段３５に、原稿判別信号を出力する。
【０１０３】
この場合には、マウントフィルム３が画像読み取り装置にセットされているから、ＲＡＭ３２に記憶されているコントラストデータのうちで、光学ブロック８がマウントフィルム３のフォーカス範囲に位置しているときに生成されたコントラストデータが最大になり、したがって、原稿判別手段３６によって、読み出されるパルスモータ９に与えられたパルス数は、マウントフィルム３のフォーカス範囲に対応するパルス数であるＮｍ１ないしＮｍ２の範囲に含まれているから、原稿判別手段３６によって、ＲＡＭ３２に、画像読み取り装置にセットされている透過型原稿がマウントフィルム３である旨と、パルスモータ９に与えられたパルス数が書き込まれる。
【０１０４】
原稿判別手段３６から、原稿判別信号を受けると、オートフォーカス手段３５はＲＡＭ３２にアクセスして、ＲＡＭ３２に書き込まれたパルスモータ９に与えられたパルス数を読み出し、読み出したパルス数に等しいパルスをパルスモータ９に与えて、光学ブロック８を、マウントフィルム３のフォーカス位置に移動させるとともに、コントローラ３０にオートフォーカス完了信号を出力する。
【０１０５】
コントローラ３０は、オートフォーカス手段３５から、オートフォーカス完了信号を受けると、ＲＡＭ３２にアクセスして、透過型原稿の種類を読み取り、読み取った透過型原稿の種類に応じて、画像読み取り装置にセットされた透過型原稿に記録された画像の読み取りを開始する。
【０１０６】
この場合には、マウントフィルム３が画像読み取り装置にセットされているから、コントローラ３０は、マウントフィルム３に記録されている画像を、周知の方法にしたがって、読み取り、画像データを生成して、ＲＡＭ３２に記憶させ、所定のタイミングで、ＲＡＭ３２に記憶された画像データを、ＳＣＳＩインターフェイス１５を介して、ホストコンピュータ２０に出力する。
【０１０７】
本実施態様によれば、ＬＥＤ光源５から発せられ、画像読み取り装置にセットされた透過型原稿を透過した光が、ＣＣＤラインセンサ６の受光面にフォーカスされるときの光学ブロック８の基準位置からの距離として定義されるフォーカス位置を含むフォーカス範囲が、画像読み取り装置にセットされた透過型原稿がストリップフィルム２である場合と、マウントフィルム３である場合とで、互いに重なり合わないように、ストリップフィルム２を搬送するためのストリップフィルム搬送路１０と、マウントフィルム３を搬送するためのマウントフィルム搬送路１３とが、ストリップフィルム２またはマウントフィルム３の面に垂直な方向において、互いに隔たった位置に設けられ、画像読み取り装置にセットされた透過型原稿がストリップフィルム２であるか、マウントフィルム３であるかにより、画像読み取り装置にセットされた透過型原稿のフォーカス範囲が異なることを利用して、オートフォーカス手段３５が、オートフォーカシング動作を実行する際に、オートフォーカス手段３５によって決定された透過型原稿のフォーカス範囲に基づき、画像読み取り装置が、画像読み取り装置にセットされた透過型原稿がストリップフィルム２であるか、マウントフィルム３であるかを自動的に判別するように構成されているから、透過型原稿の種類ごとに、異なるアダプタないしホルダーを用意しておくことも、透過型原稿を画像読み取り装置にセットする際に、透過型原稿をアダプタないしホルダーにセットすることも必要としないで、画像読み取り装置にセットされた透過型原稿の種類を検出することができ、したがって、低コストで、かつ、簡易な操作で、画像読み取り装置にセットされた透過型原稿の種類を検出し、異なる種類の透過型原稿に記録された画像を読み取ることが可能になる。
【０１０８】
本発明は、以上の実施態様に限定されることなく、特許請求の範囲に記載された発明の範囲内で種々の変更が可能であり、それらも本発明の範囲内に包含されるものであることはいうまでもない。
【０１０９】
たとえば、前記実施態様においては、画像読み取り装置には、ストリップフィルム搬送路１０とマウントフィルム搬送路１３とが、ストリップフィルム２またはマウントフィルム３の面に垂直な方向において、互いに隔たった位置に設けられ、ストリップフィルム２がストリップフィルム搬送路１０内を搬送され、マウントフィルム３がマウントフィルム搬送路１３内を搬送されるように構成されているが、画像読み取り装置に、ストリップフィルム搬送路１０とマウントフィルム搬送路１３とが、ストリップフィルム２またはマウントフィルム３の面に垂直な方向において、互いに隔たった位置に設けられていることは必ずしも必要でなく、ＬＥＤ光源５から発せられ、画像読み取り装置にセットされた透過型原稿を透過した光が、ＣＣＤラインセンサ６の受光面にフォーカスされるときの光学ブロック８の位置として定義されるフォーカス位置を含むフォーカス範囲が、画像読み取り装置にセットされた透過型原稿がストリップフィルム２である場合と、マウントフィルム３である場合とで、互いに重なり合わなければ、単一の搬送路内を、ストリップフィルム２とマウントフィルム３とが搬送されるように構成することもできる。
【０１１０】
また、前記実施態様においては、ＬＥＤ光源５から発せられ、画像読み取り装置にセットされた透過型原稿を透過した光が、ＣＣＤラインセンサ６の受光面にフォーカスされるときの光学ブロック８の基準位置からの距離として定義された透過型原稿のフォーカス位置に基づいて、画像読み取り装置にセットされた透過型原稿の種類を判別しているが、ＬＥＤ光源５から発せられ、画像読み取り装置にセットされた透過型原稿を透過した光が、ＣＣＤラインセンサ６の受光面にフォーカスされるときの光学ブロック８の絶対位置にしたがって、画像読み取り装置にセットされた透過型原稿の種類を判別するように構成することもできる。
【０１１１】
さらに、前記実施態様においては、画像読み取り装置は、ストリップフィルム２に記録された画像およびマウントフィルム３に記録された画像を読み取り可能に構成され、画像読み取り装置にセットされた透過型原稿がストリップフィルム２か、マウントフィルム３かを判別するように構成されているが、画像読み取り装置が、ストリップフィルム２に記録された画像およびマウントフィルム３に記録された画像を読み取り可能に構成され、画像読み取り装置にセットされた透過型原稿がストリップフィルム２か、マウントフィルム３かを判別するように構成されていることは必ずしも必要でなく、画像読み取り装置を、ストリップフィルム２に記録された画像およびマウントフィルム３に記録された画像に加えて、ＡＰＳフィルムに記録された画像や、プレパラートに記録された画像を読み取り可能で、ストリップフィルム２およびマウントフィルム３に加えて、ＡＰＳフィルムやプレパラートを判別可能に構成することもできる。
【０１１２】
また、前記実施態様においては、ＣＣＤラインセンサ６が用いられているが、ＣＣＤラインセンサ６を用いることは必ずしも必要でなく、ＣＣＤラインセンサ６に代えて、ＣＣＤエリアセンサを用いることもできるし、さらには、ＣＭＯＳセンサなど、ＣＣＤ以外の撮像素子を用いることもできる。
【０１１３】
さらに、前記実施態様においては、オートフォーカシング動作を実行するにあたって、ＬＥＤ光源５のＲ光源が起動されているが、オートフォーカシング動作を実行するにあたり、ＬＥＤ光源５のＲ光源を起動することは必ずしも必要でなく、Ｒ光源に代えて、Ｇ光源あるいはＢ光源を起動させてもよいし、さらには、ＬＥＤ光源５のＲ光源、Ｇ光源およびＢ光源のすべて、あるいは、これらのうち、２つの光源を起動するようにしてもよい。
【０１１４】
また、前記実施態様においては、画像読み取り装置の本体１は、ＳＣＳＩインターフェイス１５を介して、ホストコンピュータ２０に接続されているが、ＳＣＳＩインターフェイス１５に代えて、ＩＥＥＥ１３９４、ＵＳＢ、ＬＡＮなどのＳＣＳＩ以外の規格に準拠したインターフェイスを介して、画像読み取り装置の本体１が、ホストコンピュータ２０に接続されてもよい。
【図面の簡単な説明】
【０１１５】
【図１】図１は、本発明の好ましい実施態様にかかる画像読み取り装置の略断面図である。
【図２】図２は、図１に示された画像読み取り装置の制御系および駆動系を示すブロックダイアグラムである。
【符号の説明】
【０１１６】
１  画像読み取り装置の本体
２  ストリップフィルム
３  マウントフィルム
５  ＬＥＤ光源
６  ＣＣＤラインセンサ
７  集光光学系
９  パルスモータ
１０  ストリップフィルム搬送路
１０ａ、１０ｂ  搬送ローラ対
１１  ストリップフィルムセンサ
１２  搬送モータ
１３  マウントフィルム搬送路
１５  ＳＣＳＩインターフェイス
２０  ホストコンピュータ
３０  コントローラ
３１  ＲＯＭ
３２  ＲＡＭ
３３  Ａ／Ｄ変換器
３４  データ処理回路
３５  オートフォーカス手段
３６  原稿判別手段
４０  ＣＣＤ駆動回路
４１  ＬＥＤ光源駆動回路
４２  パルスモータ駆動回路
４３  搬送モータ駆動回路
【図１】
2006191326.tif 000003
【図２】
2006191326.tif 000004